(57)【要約】【課題】遮蔽材を吊下支持するための支持体内部又はその近傍に非接触充電可能な充電式蓄電池を設け、例えば高い位置に設置される充電可能な充電式蓄電池に対する充電作業を容易化する電動遮蔽装置を提供する。【解決手段】本発明の電動遮蔽装置は、遮蔽材の開閉を制御する制御基板１０への電源供給を可能とし、ヘッドボックス１等の支持体内部又はその近傍に載置される非接触充電可能な充電式蓄電池１１と、充電式蓄電池１１に対しワイヤレス充電可能とする充電器１４１と、を備える。充電器１４１は、充電式蓄電池１１の蓄電部位１１ａに対し面接触又は非接触で充電可能とする充電部位（非接触充電体１４４）を有し、給電ポール１４の一端に設けられ、給電ポール１４の他端に設けられる給電部１４３、又はＡＣ電源と接続されるＡＣケーブル１４７によって電力供給されるように構成されている。【選択図】図２
2019214871.tif 000002
【特許請求の範囲】
【請求項１】
支持体を用いて吊下支持される遮蔽材の開閉を電気的に制御可能とする電動遮蔽装置であって、
前記遮蔽材の開閉を制御する制御基板への電源供給を可能とし、前記支持体内部又はその近傍に載置される非接触充電可能な充電式蓄電池と、
前記充電式蓄電池に対しワイヤレス充電可能とする充電器と、
を備えることを特徴とする電動遮蔽装置。
【請求項２】
前記充電器は、前記充電式蓄電池の蓄電部位に対し面接触又は非接触で充電可能とする充電部位を有することを特徴とする、請求項１に記載の電動遮蔽装置。
【請求項３】
前記充電器は、給電ポールの一端に設けられ、前記給電ポールの他端に設けられる給電部、又はＡＣ電源と接続されるＡＣケーブルによって電力供給されるように構成されていることを特徴とする、請求項１又は２に記載の電動遮蔽装置。
【請求項４】
前記給電部は、着脱可能な蓄電池を収容可能に構成されていることを特徴とする、請求項３に記載の電動遮蔽装置。
【請求項５】
前記給電部は、外部電源と電気的に接続される給電用ケーブルと着脱可能に構成されていることを特徴とする、請求項３に記載の電動遮蔽装置。
【請求項６】
前記支持体は前記充電式蓄電池を保持する充電機構部を介して前記充電式蓄電池を支持するよう構成され、前記充電機構部は前記充電器を取り付け、或いは取り外し可能に支持する支持部を有することを特徴とする、請求項１から５のいずれか一項に記載の電動遮蔽装置。
【請求項７】
前記充電機構部は、前記充電器を吸着する吸着部材を有することを特徴とする、請求項６に記載の電動遮蔽装置。
【請求項８】
前記給電ポールは、伸縮自在に構成されていることを特徴とする、請求項１から７のいずれか一項に記載の電動遮蔽装置。
【発明の詳細な説明】
【技術分野】
【０００１】
本発明は、スクリーンや、スラット、カーテン等の遮蔽材の開閉を電動で制御可能とするプリーツスクリーン、横型ブラインド、縦型ブラインド、プリーツスクリーン、たくし上げカーテン、カーテンレール等に関するものであり、特に、充電式電源を備える電動遮蔽装置に関する。
【背景技術】
【０００２】
一般的に、電動遮蔽装置は、遮蔽材を吊下支持するための支持体（例えば横型ブラインドやプリーツスクリーンであればヘッドボックス、縦型ブラインドであればハンガーレール等の枠体、或いはロールスクリーンであれば取付フレーム又は支持部材で支持された巻取パイプ）に、スイッチレスのＡＣアダプタ等の電源を設け、このＡＣアダプタから延びるＡＣケーブルをＡＣ電源のコンセントに接続しているものが多い。
【０００３】
しかし、この場合には、当該電動遮蔽装置から常にＡＣケーブルが垂下するような見栄えとなりやすく、意匠性の観点で改善の余地がある。
【０００４】
尚、電動遮蔽装置の一種として、再充電可能なバッテリーによる電力供給部を具備する動力供給デバイスを、細長い棒状のロッドにより構成し、電動遮蔽装置の本体から取外し可能としたものが開示されている（例えば、特許文献１参照）。
【先行技術文献】
【特許文献】
【０００５】
【特許文献１】特表２００５−５０６４７４号公報
【発明の概要】
【発明が解決しようとする課題】
【０００６】
まず、上述したように、電動遮蔽装置において、遮蔽材を吊下支持するための支持体に、スイッチレスのＡＣアダプタ等の電源を設け、このＡＣアダプタから延びるＡＣケーブルをＡＣ電源のコンセントに接続する構成では、意匠性の観点で改善の余地がある。
【０００７】
一方、特許文献１に開示されるように、再充電可能なバッテリーによる電力供給部を具備する動力供給デバイスについて細長い棒状のロッドにより構成することで、充電作業自体は容易になる。しかし、この特許文献１に開示される技法では、電動遮蔽装置の使用時には、その本体に対するロッド先端の電気接続端子の接続を不可欠とする一方で、当該電力供給部の充電時には、ロッド先端の電気接続端子の損傷を避けるためには電動遮蔽装置の本体からロッドを取り外すことが不可欠となり、使い勝手が悪くなるという問題が生じる。
【０００８】
そこで、本発明の目的は、上述の問題に鑑みて、遮蔽材を吊下支持するための支持体内部又はその近傍に非接触充電可能な充電式蓄電池（充電式電源）を設け、例えば高い位置に設置される充電可能な充電式蓄電池に対する充電作業を容易化する電動遮蔽装置を提供することにある。
【課題を解決するための手段】
【０００９】
本発明の電動遮蔽装置は、支持体を用いて吊下支持される遮蔽材の開閉を電気的に制御可能とする電動遮蔽装置であって、前記遮蔽材の開閉を制御する制御基板への電源供給を可能とし、前記支持体内部又はその近傍に載置される非接触充電可能な充電式蓄電池と、前記充電式蓄電池に対しワイヤレス充電可能とする充電器と、を備えることを特徴とする。
【００１０】
また、本発明の電動遮蔽装置において、前記充電器は、前記充電式蓄電池の蓄電部位に対し面接触又は非接触で充電可能とする充電部位を有することを特徴とする。
【００１１】
また、本発明の電動遮蔽装置において、前記充電器は、給電ポールの一端に設けられ、前記給電ポールの他端に設けられる給電部、又はＡＣ電源と接続されるＡＣケーブルによって電力供給されるように構成されていることを特徴とする。
【００１２】
また、本発明の電動遮蔽装置において、前記給電部は、着脱可能な蓄電池を収容可能に構成されていることを特徴とする。
【００１３】
また、本発明の電動遮蔽装置において、前記給電部は、外部電源と電気的に接続される給電用ケーブルと着脱可能に構成されていることを特徴とする。
【００１４】
また、本発明の電動遮蔽装置において、前記支持体は前記充電式蓄電池を保持する充電機構部を介して前記充電式蓄電池を支持するよう構成され、前記充電機構部は前記充電器を取り付け、或いは取り外し可能に支持する支持部を有することを特徴とする。
【００１５】
また、本発明の電動遮蔽装置において、前記充電機構部は、前記充電器を吸着する吸着部材を有することを特徴とする。
【００１６】
また、本発明の電動遮蔽装置において、前記給電ポールは、伸縮自在に構成されていることを特徴とする。
【発明の効果】
【００１７】
本発明によれば、例えば高い位置に設置される充電可能な充電式蓄電池に対し、充電器をかざすだけで容易に充電できるようになり、充電作業が容易化する。また、本発明によれば、その充電器を電動遮蔽装置から安定的に設置し、或いは容易に取り外すことができ、充電器が無くとも非接触充電可能な充電式蓄電池（充電式電源）により電動遮蔽装置を作動させることができる。
【図面の簡単な説明】
【００１８】
【図１】（ａ），（ｂ）は、それぞれ本発明による一実施形態の電動遮蔽装置としてのプリーツスクリーンの概略構成を示す平面図及び正面図である。
【図２】本発明による一実施形態の電動遮蔽装置としてのプリーツスクリーンの概略構成と、実施例１の充電ポールの概略構成を示す側面図である。
【図３】（ａ）乃至（ｄ）は、それぞれ本発明による一実施形態の電動遮蔽装置に係る実施例１の充電ポールの概略構成を示す斜視図、正面図、断面側面図、及び背面図である。
【図４】本発明による一実施形態の電動遮蔽装置における充電可能な充電式蓄電池に対し、充電機構部を介して、実施例１の充電ポールによる充電器をかざしてワイヤレス充電可能とする様子を概略的に示す部分的な斜視図である。
【図５】（ａ），（ｄ）は、それぞれ本発明による一実施形態の電動遮蔽装置に係る実施例１の充電ポールにおける給電部の構成例を概略的に示す正面図である。
【図６】（ａ）は本発明による一実施形態の電動遮蔽装置の変形例を概略的な全体構成として示す正面図であり、（ｂ），（ｃ）は、更なる変形例をそれぞれ概略的な部分構成として示す正面図である。
【図７】（ａ）乃至（ｄ）は、それぞれ本発明による一実施形態の電動遮蔽装置に係る実施例２の充電ポールの概略構成を示す斜視図、正面図、断面側面図、及び背面図である。
【発明を実施するための形態】
【００１９】
以下、図面を参照して、本発明による各実施形態の電動遮蔽装置を説明する。尚、本願明細書中、図１に示す電動遮蔽装置の一例であるプリーツスクリーンの正面図に対して、図示上方及び図示下方を上方向（又は上側）及び下方向（又は下側）と定義し、図示左方向をプリーツスクリーンの左側、及び、図示右方向をプリーツスクリーンの右側と定義して説明する。また、図１の正面図を視認する側を前側（室内側）とし、その反対側を後側（室外側）とする。
【００２０】
（全体構成）
図１（ａ）,（ｂ）は、それぞれ本発明による一実施形態の電動遮蔽装置の概略構成を示す平面図及び正面図である。また、図２は、本発明による一実施形態の電動遮蔽装置としてのプリーツスクリーンの概略構成と、実施例１の充電ポール１４の概略構成を示す側面図である。図１及び図２に示す電動遮蔽装置は、代表例として遮蔽材を昇降する電動プリーツスクリーンを示している。ただし、電動プリーツスクリーンに限定する必要はなく、例えば電動横型ブラインドや電動たくし上げカーテン等としてもよい。
【００２１】
まず、図１（ａ）,（ｂ）に示す一実施形態の電動プリーツスクリーンは、ヘッドボックス１からジグザグ状に折り曲げ可能としたスクリーン６が吊下支持され、そのスクリーン６の下端はボトムレール７の上面に取着される。ヘッドボックス１は天井面等の取付面に対しブラケット１３を介して固定される。
【００２２】
また、図２に示すように、ヘッドボックス１からピッチ保持コード４が吊下され、そのピッチ保持コード４に対し等間隔に環状の保持部４ａが設けられている。各保持部４ａは、スクリーン６を貫通する昇降コード３を挿通し、スクリーン６の折り目が規則正しく配列するように支持している。
【００２３】
ヘッドボックス１内にて適所（本例では左右２箇所）に配設された各支持部材５に対し巻取ドラム５１が回転可能に支持される。そして、巻取ドラム５１の軸方向一端部には、それぞれ障害物検知停止装置５２が設けられる。
【００２４】
巻取ドラム５１には、昇降コード３（本例では紐状コードであるが、テープ状の昇降テープでもよい）の上端が巻き取り、或いは巻き戻し可能に取着され、昇降コード３の下端は、本例ではスクリーン６を貫通し、ボトムレール７に取着される。巻取ドラム５１は軸方向の一方に向かって径が徐々に細くなるように形成され、本例では紐状の昇降コード３が巻取ドラム５１に順次螺旋状に巻かれていくようになっている。
【００２５】
それぞれの巻取ドラム５１及び障害物検知停止装置５２の中心軸には駆動軸２が挿通される。
【００２６】
駆動軸２の一端は、駆動軸連結器９ａを介してモーター９の出力軸に連結され、モーター９の出力軸の回転が駆動軸２に伝達される。従って、モーター９の駆動力で駆動軸２を回転させ、駆動軸２の回転に基づいて昇降コード３を当該巻取ドラム５１で巻き取り、或いは巻き戻すことにより、ボトムレール７を昇降可能とし、これによりスクリーン６を昇降させることができる。
【００２７】
モーター９の駆動制御は、ヘッドボックス１内に配設される制御装置１０によって行われる。
【００２８】
制御装置１０は、有線スイッチ２１、無線リモコン２２、赤外線リモコン２３、或いはパーソナルコンピュータ（ＰＣ）などの外部機器（図示せず）から操作信号を受信すると、当該操作信号内に含まれる各種のコマンドに対応する電動遮蔽装置の各種制御を行う。例えばモーター９をそれぞれＤＣモーターで構成することで、制御装置１０からモーター９に供給するパルス信号のデューティ比を制御することにより、制御装置１０は、モーター９の回転速度を制御することができる。また、ヘッドボックス１内には駆動軸２の回転速度及び回転量を検出するエンコーダー８が配設され、制御装置１０は、エンコーダー８ら出力されるパルス信号に基づいて、そのエンコーダーパルスの速度及びパルス数のカウント値を管理して、モーター９の回転速度及び回転量が制御される。このような動作により、当該操作信号内に含まれる各種のコマンドに対応して、制御装置１０は、スクリーン６の昇降速度を適宜に調整するとともに、スクリーン６の昇降停止位置を制御する。
【００２９】
尚、障害物検知停止装置５２は、ボトムレール７が障害物に接触し、その下降が妨げられるときに作動して、駆動軸２が停止するようになっている。例えば、ボトムレール７が障害物に接触したとき、制御装置１０は、支持部材５に支持される巻取ドラム５１に巻き取られていた昇降コード３の弛みを例えばマイクロスイッチ（図示せず）を介して検知して、駆動軸２の回転を停止するようになっている。尚、本実施形態では、巻取ドラム５１に併設して障害物検知停止装置５２を設ける例を示しているが、種々の構造の障害物検知停止装置を利用でき、或いは障害物検知停止装置５２を設けなくてもよい。
【００３０】
ところで、本実施形態の電動遮蔽装置では、ヘッドボックス１内に、モーター９及び制御装置１０へと電力供給する非接触充電可能な充電式蓄電池（充電式電源）１１が配設されている。
【００３１】
この充電式蓄電池１１は、充電器１４１（図２参照）をかざすだけで容易に充電できるワイヤレス充電可能なバッテリーにより構成することができる。
【００３２】
本実施形態では、ヘッドボックス１の長手方向右端部に充電機構部１２が設けられ、充電機構部１２は、充電式蓄電池１１を支持し、給電ポール１４による充電器１４１をかざすだけで容易に充電できるようにしている。
【００３３】
より具体的に、ヘッドボックス１の長手方向右端部には開口部１ａが設けられ、ヘッドボックス１に充電機構部１２を安定して支持できるようになっている。そして、この開口部１ａから、充電式蓄電池１１に対し充電器１４１により非接触給電可能とする充電機構部１２の蓄電面１２ｂと、その下方に充電器１４１を支持するくの字状の支持部１２ａとが露出している。尚、充電機構部１２は合成樹脂で形成され、その蓄電面１２ｂは充電式蓄電池１１の蓄電部位１１ａ（後述する図４参照）に対応する位置に設けられており、このため充電式蓄電池１１に対し充電器１４１により非接触給電可能となっている。
【００３４】
また、充電機構部１２の蓄電面１２ｂに対する左右両端には、本例では一対の吸着部材１２ｃが設けられている。図４を参照して詳細は後述するが、一対の吸着部材１２ｃは、当該充電機構部１２の蓄電面１２ｂに充電器１４１を安定して対向支持させるために、充電器１４１に設けられる金属板１４１ａを磁力で吸着する薄型円柱状磁石で構成されている。これにより、充電式蓄電池１１に対する非接触給電を安定化させることができるようになっている。
【００３５】
以下、より具体的に、各実施例の給電ポール１４について詳細に説明する。
【００３６】
（実施例１の給電ポール）
図２には、実施例１の充電ポール１４の概略構成を示しており、図３（ａ）乃至（ｄ）は、それぞれ実施例１の充電ポール１４の概略構成を示す斜視図、正面図、断面側面図、及び背面図である。そして、図４は、充電機構部１２を介して実施例１の充電ポール１４による充電器１４１を充電式蓄電池１１にかざしてワイヤレス充電可能とする様子を概略的に示す部分的な斜視図である。
【００３７】
まず、図２及び図３を参照するに、実施例１の充電ポール１４は、充電器１４１、棒状体１４２、及び給電部１４３を備える。
【００３８】
充電器１４１は、非接触充電体１４４（例えばＱｉ規格に基づくワイヤレス充電コイル等）を収容した図示するような直方体状の合成樹脂材料で成形されている。非接触充電体１４４は、充電機構部１２の蓄電面１２ｂを介して充電式蓄電池１１の蓄電部位１１ａ（図４参照）に対向配置させたときに、充電式蓄電池１１に対し非接触給電可能とする機能部である。
【００３９】
棒状体１４２は、その上端が充電器１４１の正面側略中央に取着され、本例ではその上端から屈曲して操作者が掴持可能な長さで下方に延びる中空柱状の合成樹脂材料で成形されている。
【００４０】
給電部１４３は、棒状体１４２の下端に取着され、非接触充電体１４４へと電力供給する給電体１４６を収容した筒箱状の合成樹脂材料で成形されている。つまり、棒状体１４２の中空部には非接触充電体１４４に一端を電気的に接続する通電コード１４５が内通しており、その他端が給電体１４６に接続されている。尚、通電コード１４５は、棒状体１４２に対しその中空部分に挿通させる代わりに、沿わせることで保持させた構成としてもよい。
【００４１】
実施例１の充電ポール１４における充電器１４１は、図２及び図４に示すように、ヘッドボックス１の正面側の開口部１ａから露出する充電機構部１２におけるくの字状の支持部１２ａに掛装可能となっている。また、図３（ｄ）及び図４に示すように、充電器１４１の背面側（充電機構部１２との対向面側）における左右方向両端に設けられる一対の金属板１４１ａを、それぞれ充電機構部１２に設けられる一対の吸着部材１２ｃで磁力により吸着できるようになっている。尚、図４に示すように、充電機構部１２の蓄電面１２ｂは充電式蓄電池１１の蓄電部位１１ａに対応する位置に設けられており、このため充電式蓄電池１１に対し充電器１４１により非接触給電可能となっている。
【００４２】
これにより、実施例１の充電ポール１４によれば、当該充電機構部１２の蓄電面１２ｂに充電器１４１を安定して対向支持させ、充電器１４１による充電式蓄電池１１に対する非接触給電を安定化させることができる。
【００４３】
また、実施例１の充電ポール１４によれば、充電機構部１２に対し安定して支持させることができるので、操作者は、充電器１４１による充電式蓄電池１１に対する非接触給電を行う際には、その充電器１４１を充電機構部１２における支持部１２ａに掛装した状態で手放しても、安定した非接触給電を維持できる。
【００４４】
また、実施例１の充電ポール１４によれば、電動遮蔽装置の動作時に、充電機構部１２に対する充電ポール１４の掛装を取り外してもよく、このため見栄えが良くなり意匠性が向上する。
【００４５】
尚、非接触充電体１４４へと電力供給する給電体１４６は、種々の形態で構成することができる。図５（ａ），（ｄ）は、それぞれ実施例１の充電ポール１４における給電部１４３の構成例を概略的に示す正面図である。
【００４６】
例えば図５（ａ）に示すように、充電器１４１に収容される非接触充電体１４４に一端を電気的に接続する通電コード１４５の他端が給電体１４６に接続されているが、この給電体１４６を、乾電池などの充電済み蓄電池１４６ａと、蓄電池１４６ａの電力を伝えて非接触充電体１４４を機能させる電気回路１４６ｂ（例えば非接触充電体１４４がＱｉ規格に基づくワイヤレス充電コイルで構成されているときはスイッチング回路やトランス回路等）により構成することができる。このため、実施例１の充電ポール１４による充電器１４１を、充電機構部１２を介して充電式蓄電池１１にかざすことでワイヤレス充電することが可能となる。
【００４７】
また、例えば図５（ｂ）に示すように、同じく充電器１４１に収容される非接触充電体１４４に一端を電気的に接続する通電コード１４５の他端が給電体１４６に接続されているが、この給電体１４６を、充電コード２０を介してＡＣアダプタ３０と電気的に接続可能に構成され、ＡＣアダプタ３０の電力を伝えて非接触充電体１４４を機能させる電気回路１４６ｂ（例えば非接触充電体１４４がＱｉ規格に基づくワイヤレス充電コイルで構成されているときはスイッチング回路やトランス回路等）により構成することができる。
【００４８】
図５（ｂ）に示す例では、給電体１４６を構成する電気回路１４６ｂに、充電コード２０の一端の接続コネクタ２０ａと電気的に接続可能な接続ハウジング１４６ｃが設けられている。充電コード２０の他端の接続コネクタ２０ｂはＡＣアダプタ３０の出力端子３０ａと接続可能となっている。このため、ＡＣアダプタ３０の入力端子（図示略）がＡＣ電源のコンセントに接続され、ＡＣアダプタ３０と給電体１４６を構成する電気回路１４６ｂとが通電コード１４５及び充電コード２０を介して電気的に接続された状態では、実施例１の充電ポール１４による充電器１４１を、充電機構部１２を介して充電式蓄電池１１にかざすことでワイヤレス充電することが可能となる。
【００４９】
即ち、実施例１の充電ポール１４における給電体１４６は、非接触充電体１４４を機能させるように給電する形態であれば種々の構造で給電体１４６を構成することができる。
【００５０】
尚、本実施形態の例では、充電器１４１を、ヘッドボックス１から露出する充電機構部１２における蓄電面１２ｂを介して、充電式蓄電池１１の蓄電部位１１ａを経て充電式蓄電池１１にかざすことでワイヤレス充電する例を説明したが、ヘッドボックス１から充電式蓄電池１１の蓄電部位１１ａを直接露出させた形態としてもよい。
【００５１】
また、本実施形態の例では、充電式蓄電池１１を支持する充電機構部１２がヘッドボックス１の長手方向右端側に配設される例を説明したが、その配設位置や個数は任意であり、且つ例えば図６（ａ）に例示するように、ヘッドボックス１の複数個所に、充電式蓄電池１１を支持する充電機構部１２を設けてもよい。
【００５２】
また、本実施形態の例では、充電機構部１２の蓄電面１２ｂ（或いは充電式蓄電池１１の蓄電部位１１ａ）が、ヘッドボックス１の正面側から露出させ、充電器１４１を正面からかざすことでワイヤレス充電を行う例を説明したが、これに限定する必要はない。例えば、充電式蓄電池１１の蓄電部位１１ａをヘッドボックス１の外周面に設けるにあたり、例えば図６（ｂ）に例示するようにヘッドボックス１の下面側から、或いは図６（ｃ）に例示するようにヘッドボックス１の側面側から、ワイヤレス充電を行う構成としてもよい。
【００５３】
（実施例２の給電ポール）
図７（ａ）乃至（ｄ）は、それぞれ実施例１の充電ポール１４の概略構成を示す斜視図、正面図、断面側面図、及び背面図である。尚、図７において、実施例１と同様な構成要素には同一の参照番号を付している。
【００５４】
上述した実施例１の充電ポール１４では給電部１４３を備える例を説明したが、実施例２では、そのような給電部１４３を設ける代わりに、給電用のＡＣケーブル１４７を用いた例である。
【００５５】
より具体的に、図７に示す実施例２の充電ポール１４は、充電器１４１、棒状体１４２、及びＡＣケーブル１４７を備える。
【００５６】
充電器１４１は、実施例１と同様、非接触充電体１４４（例えばＱｉ規格に基づくワイヤレス充電コイル等）を収容した図示するような直方体状の合成樹脂材料で成形されている。非接触充電体１４４は、充電機構部１２の蓄電面１２ｂを介して充電式蓄電池１１の蓄電部位１１ａ（図４参照）に対向配置させたときに、充電式蓄電池１１に対し非接触給電可能とする機能部である。
【００５７】
棒状体１４２は、実施例１と同様、その上端が充電器１４１の正面側略中央に取着され、本例ではその上端から屈曲して操作者が掴持可能な長さで下方に延びる中空柱状の合成樹脂材料で成形されている。
【００５８】
ただし、棒状体１４２の下端は解放しており、棒状体１４２の中空部には非接触充電体１４４に一端を電気的に接続するＡＣケーブル１４７が内通しており、その他端が棒状体１４２の下端から延長して露出し、ＡＣ電源のコンセントに接続可能な電源アダプタ１４７ａを持つ形態となっている。尚、ＡＣケーブル１４７は、棒状体１４２に対しその中空部分に挿通させる代わりに、沿わせることで保持させた構成としてもよい。
【００５９】
このため、電源アダプタ１４７ａがＡＣ電源のコンセントに接続された状態では、実施例２の充電ポール１４による充電器１４１を、充電機構部１２を介して充電式蓄電池１１にかざすことでワイヤレス充電することが可能となり、実施例２の充電ポール１４は、実施例１と同様の作用・効果を有するものとなる。そして、実施例２の充電ポール１４を用いる場合でも、図６を参照して説明した種々の変形例を適用できる。
【００６０】
以上、特定の実施形態の例を挙げて本発明を説明したが、本発明は前述の実施形態の例に限定されるものではなく、その技術思想を逸脱しない範囲で種々変形可能である。例えば、上述した実施形態の説明において、ワイヤレス充電とは、物理的に非接触状態とする場合に限定されず、ワイヤレス充電を実現する観点からの物理的な接触状態を含む。また、実施例１，２の充電ポール１４において、棒状体１４２を伸縮自在としてもよい。また、充電機構部１２を介さずに、ヘッドボックス１に直接的に充電式蓄電池１１を固定保持して、充電式蓄電池１１に対し直接的な面接触又は非接触で充電可能とする構成としてもよい。
【産業上の利用可能性】
【００６１】
本発明によれば遮蔽材を吊下支持するための支持体に非接触充電可能な充電式蓄電池（充電式電源）を設けた電動遮蔽装置とし、例えば高い位置に設置される充電可能な充電式蓄電池に対し、充電器をかざすだけで容易に充電できるようになり、充電作業が容易化するので、電動遮蔽装置の用途に有用である。
【符号の説明】
【００６２】
１  ヘッドボックス
２  駆動軸
３  昇降コード
４  ピッチ保持コード
５  支持部材
６  スクリーン
７  ボトムレール
８  エンコーダー
９  モーター
１０  制御装置
１１  充電式蓄電池（充電式電源）
１１ａ  蓄電部位
１２  充電機構部
１２ａ  支持部
１２ｂ  蓄電面
１２ｃ  吸着部材
１４  給電ポール
２０  充電コード
３０  ＡＣアダプタ
１４１  充電器
１４２  棒状体
１４３  給電部
１４４  非接触充電体
１４５  通電コード
１４６  給電体
１４７  ＡＣケーブル
【図１】
2019214871.tif 000003
【図２】
2019214871.tif 000004
【図３】
2019214871.tif 000005
【図４】
2019214871.tif 000006
【図５】
2019214871.tif 000007
【図６】
2019214871.tif 000008
【図７】
2019214871.tif 000009